(57)【特許請求の範囲】
【請求項１】
コネクタを被取付部に取り付けるコネクタの取付構造において、
前記コネクタと前記被取付部とが重なる方向に対して交差する方向に前記コネクタをスライドさせて前記コネクタを前記被取付部上に重ねて、前記コネクタを取付位置に保持する保持手段と、
前記コネクタと前記被取付部とに設けられ且つ前記コネクタが前記取付位置に位置付けられると互いに連通してねじ部材が通される一対の孔と、を備え、
前記保持手段が、前記コネクタの外表面に設けられた溝部と、前記被取付部に設けられた切り欠き部の外縁からなり且つ前記溝部内に通される進入部と、を備え、そして、
前記切り欠き部が互いの間に前記被取付部の前記孔を位置付けるように一対設けられているとともに、前記溝部が前記一対の切り欠き部のそれぞれの切り欠き部の外縁を通すように一対設けられていることを特徴とするコネクタの取付構造。
【請求項２】
前記溝部の幅と前記進入部の厚さとの差分が、前記取付位置に位置付けられた前記コネクタの前記孔の近傍と前記被取付部の前記孔の近傍との間隔より小さく設けられていることを特徴とする請求項１に記載のコネクタの取付構造。
【発明の詳細な説明】
【技術分野】
【０００１】
本発明は、コネクタを被取付部に取り付けるコネクタの取付構造に関する。
【背景技術】
【０００２】
ハイブリッド車や電気自動車の電源回路等には、回路遮断装置が設けられている。この回路遮断装置は、例えば、バッテリを内部に収容したバッテリパック等の被取付部に取り付けられる。回路遮断装置は、被取付部に取り付けられ且つ複数の端子金具を収容したコネクタと、該コネクタに取り付けられると該コネクタの端子金具同士を電気的に接続して電源回路を導通させる相手方のコネクタと、該相手方のコネクタに移動（回転及びスライド）自在に取り付けられたレバーとを備えている（例えば、特許文献１及び２参照）。
【０００３】
このような回路遮断装置は、前記電源回路等を作業者がメンテナンスする際等に、コネクタから相手方のコネクタが取り外されると前記電源回路を切断し、作業員の感電を防止する。さらに、コネクタから取り外された相手方のコネクタを作業者自身が保持することによって、切断された電源回路を他者が再び導通させることが不可能になり、確実に作業員の感電を防止する。
【０００４】
前述したコネクタには一対の孔が設けられ、被取付部には該コネクタが取付位置に位置付けられると該一対の孔のそれぞれの孔と連通する一対の孔が設けられている。この連通した一対の孔のそれぞれの孔にボルトが通されてナットにねじ込まれることによって、コネクタは被取付部に取り付けられる。
【特許文献１】特開２００２−３４３１６９号公報
【特許文献２】特開２００３−１００３８６号公報
【発明の開示】
【発明が解決しようとする課題】
【０００５】
しかしながら、前述したコネクタにおいては、被取付部に固定するのに二箇所のボルト締めが必要になるので、取付作業に時間や手間がかかるとともに部品数が多くコストが高騰するという問題があった。さらに、解体作業にも同様に時間や手間がかかることになり、リサイクル性が悪いという問題があった。また、これらの問題を解決するために一箇所のボルト締めにしてしまうと、被取付部への固定強度が弱くなるという問題があった。
【０００６】
本発明は、このような問題を解決することを目的としている。即ち、本発明は、取付作業が簡単且つ低コストでありながら、強固にコネクタを被取付部に取り付けることができるコネクタの取付構造を提供することを目的としている。
【課題を解決するための手段】
【０００７】
前記課題を解決し目的を達成するために、請求項１に記載された本発明は、コネクタを被取付部に取り付けるコネクタの取付構造において、前記コネクタと前記被取付部とが重なる方向に対して交差する方向に前記コネクタをスライドさせて前記コネクタを前記被取付部上に重ねて、前記コネクタを取付位置に保持する保持手段と、前記コネクタと前記被取付部とに設けられ且つ前記コネクタが前記取付位置に位置付けられると互いに連通してねじ部材が通される一対の孔と、を備え、前記保持手段が、前記コネクタの外表面に設けられた溝部と、前記被取付部に設けられた切り欠き部の外縁からなり且つ前記溝部内に通される進入部と、を備え、そして、前記切り欠き部が互いの間に前記被取付部の前記孔を位置付けるように一対設けられているとともに、前記溝部が前記一対の切り欠き部のそれぞれの切り欠き部の外縁を通すように一対設けられていることを特徴としたコネクタの取付構造である。
【０００９】
請求項２に記載された本発明は、請求項１に記載されたコネクタの取付構造において、前記溝部の幅と前記進入部の厚さとの差分が、前記取付位置に位置付けられた前記コネクタの前記孔の近傍と前記被取付部の前記孔の近傍との間隔より小さく設けられていることを特徴としたコネクタの取付構造である。
【００１２】
請求項１に記載した本発明によれば、コネクタと被取付部とが重なる方向に対して交差する方向にコネクタをスライドさせてコネクタを被取付部上に重ねてコネクタを取付位置に保持する保持手段と、コネクタと被取付部とに設けられ且つコネクタが取付位置に位置付けられると互いに連通してねじ部材が通される一対の孔とを備えているので、保持手段と連通した一対の孔をねじ部材で固定する一箇所のボルト留めとによってコネクタが被取付部に固定される。
【００１３】
また、保持手段が、コネクタの外表面に設けられた溝部と、被取付部に設けられた切り欠き部の外縁からなり且つ溝部内に通される進入部とを備えているので、溝部に進入部即ち切り欠き部の外縁を通すことによって、コネクタと被取付部とが重なる方向に対して交差する方向にコネクタがスライドしてコネクタが取付位置に位置付けられるとともに、コネクタが重なる方向に保持される。また、切り欠き部が互いの間に被取付部の孔を位置付けるように一対設けられているとともに、溝部が一対の切り欠き部のそれぞれの切り欠き部の外縁を通すように一対設けられているので、一対の溝部に一対の切り欠き部を通すことによって、コネクタはさらに確実に被取付部に保持される。
【００１４】
請求項２に記載した本発明によれば、溝部の幅と進入部の厚さとの差分が、取付位置に位置付けられたコネクタの孔の近傍と被取付部の孔の近傍との間隔より小さく設けられているので、連通したコネクタの孔と被取付部の孔とにねじ部材を通してコネクタを被取付部に取り付けて固定すると、コネクタの孔の近傍と被取付部の孔の近傍とが相対的に接近するとともに、溝部の内面に進入部が押し付けられ、例えば該進入部が塑性変形して、溝部内に保持される。
【発明の効果】
【００１７】
以上説明したように、請求項１に記載された本発明は、保持手段と、コネクタを取付位置に位置付けると互いに連通する一対の孔を備えているので、保持手段と一対の孔をねじ部材で固定する一箇所のボルト留めとによってコネクタが被取付部に固定される。したがって、簡単且つ低コストでありながら、強固にコネクタを被取付部に取り付けて固定することができる。
【００１８】
また、保持手段が溝部と該溝部内に通される進入部とを備え、溝部がコネクタの外表面に設けられているとともに進入部が切り欠き部の外縁とされているので、溝部に切り欠き部の外縁を通すことによってコネクタが取付位置に位置付けられて保持される。したがって、簡単にコネクタを被取付部に取り付けることができる。また、切り欠き部と溝部とがそれぞれ一対設けられているので、一対の溝部に一対の切り欠き部を通すことによって、コネクタはさらに確実に被取付部に保持される。したがって、さらに強固にコネクタを被取付部に取り付けることができる。
【００１９】
請求項２に記載された本発明は、溝部の幅と進入部の厚さとの差分が、取付位置に位置付けられたコネクタの孔の近傍と被取付部の孔の近傍との間隔より小さく設けられているので、連通した一対の孔をねじ部材で固定すると、溝部の内面に進入部が押し付けられて溝部内に保持される。したがって、進入部が溝部内でがたつくことがなく、振動等による異音の発生を防止することができる。
【発明を実施するための最良の形態】
【００２２】
以下、本発明の第一の実施形態にかかるコネクタの取付構造１を、図１ないし図８を参照して説明する。本発明の第一の実施形態にかかるコネクタの取付構造１は、図７に示すように、回路遮断装置１０を構成するコネクタ３をねじ部材６（図８）によってバッテリパック（図示せず）の被取付部２へ取り付けるための取付構造である。
【００２３】
バッテリパックは、自動車としてのハイブリット車（電動機とエンジンとの双方で走行可能な自動車）や電気自動車に搭載されて、該ハイブリット車や電気自動車の車体を構成するパネル等に取り付けられる。バッテリパックは、ハイブリッド車や電気自動車の電源回路を構成している。バッテリパックは、合成樹脂等からなる箱状のケース体と、該ケース体の内部に収容されたバッテリ等とを備えている。
【００２４】
ケース体の外表面には、回路遮断装置１０が取り付けられる被取付部２が設けられている。被取付部２は、例えば、板金等からなる。被取付部２は、平板状に形成され、図５に示すように、平面形状が略矩形状に形成されている。被取付部２は、孔２１と、一対の切り欠き部２２とを備えている。
【００２５】
孔（一対の孔の一方の孔に相当する）２１は、被取付部２を貫通して一つ設けられ、一対の切り欠き部２２の間に設けられている。孔２１の平面形状は円形状に形成されている。孔２１の内径は、ねじ部材６の後述するボルト６１の軸部の外径より若干大きく、ボルト６１の頭部の外径より小さい。孔２１には、ボルト６１の軸部が通される。
【００２６】
切り欠き部２２は、被取付部２の幅方向の端部から該幅方向に沿って被取付部２を切り欠いて形成され、平面形状が略矩形状に形成されている。切り欠き部２２は、互いの間に前述した孔２１を位置付けるように一対設けられ、被取付部２の長手方向に沿って互いに間隔をあけて設けられている。
【００２７】
一対の切り欠き部２２の被取付部２の幅方向に沿った四つの外縁のうち、外側に位置する二つの外縁２２ａ（進入部に相当する）は、コネクタ３の後述する溝部３２ａ内に通される。なお、切り欠き部２２の前述した二つの外縁２２ａ（以下、単に外縁２２ａとよぶ）は、溝部３２ａとともに保持手段７を構成する。
【００２８】
外縁２２ａには、凹部２２ｂが設けられている。凹部２２ｂは、外縁２２ａの略中央に設けられ、平面形状が略矩形状に形成されている。凹部２２ｂは、被取付部２の外表面から凹に設けられている。なお、外縁２２ａの厚さとは、この凹部２２ｂの深さを示すものとする。また、凹部２２ｂは必ずしも設ける必要はなく、その場合、外縁２２ａの厚さとは、被取付部２の板厚を示すものとする。
【００２９】
回路遮断装置１０は、図７に示すように、コネクタ３と、相手方のコネクタとしてのプラグ体４と、プラグ体４に変位（回転及びスライド）自在に取り付けられたレバー５とを備えている。回路遮断装置１０は、電源回路に組み込まれ、バッテリと電子機器等の負荷との間に組み込まれる。
【００３０】
コネクタ３は、絶縁性の合成樹脂等からなる。コネクタ３は、図２に示すように、コネクタハウジング（以下、単にハウジングとよぶ）３１と、溝部３２ａ、３２ｂと、孔（一対の孔の他方の孔に相当する）３３（図８）と、コネクタ部３４とを備えている。
【００３１】
ハウジング３１は、被取付部２の切り欠き部２２内に通される。ハウジング３１は、図３に示すように、略平板状に形成された底壁３１ａと、該底壁３１ａの周縁に連なり該周縁から立設した周壁３１ｂと、該周壁３１ｂと平行に設けられ周壁３１ｂ内の空間を仕切る隔壁３１ｃとを備え、有底の略角筒状に形成されている。ハウジング３１には、カム突起３５と、端子収容部３６と、複数のリブ３７とが設けられている。
【００３２】
カム突起３５は、ハウジング３１の外表面からハウジング３１の外方向に向かって突設されている。カム突起３５の平面形状は円形状に形成されている。カム突起３５は、互いに相対する一対の周壁３１ｂ１にそれぞれ設けられている。カム突起３５は、レバー５の後述するカム孔５５に通される。
【００３３】
端子収容部３６は、ハウジング３１内に設けられ、周壁３１ｂ及び隔壁３１ｃに囲まれた空間内に周壁３１ｂ及び隔壁３１ｃと間隔をあけて設けられている。端子収容部３６は、図８に示すように、孔３３を互いの間に位置付けるように一対設けられている。端子収容部３６は、底壁３１ａから突出している。端子収容部３６は、筒状に設けられ、内部に雌型の端子金具（以下、雌端子とよぶ）３８を収容する。
【００３４】
雌端子３８は、板金を折り曲げる等して形成されている。雌端子３８は、図示例では一対設けられている。一対の雌端子３８は、互いに間隔をあけて配されるとともに、開いた電源回路を構成している。雌端子３８は、電線接続部と電気接触部とを一体に備えている。
【００３５】
電線接続部は、電線と電気的に接続されている。一方の雌端子３８の電線接続部はバッテリと接続した電線の端末と接続され、他方の雌端子３８の電線接続部は電子機器等の負荷と接続した電線の端末と接続されている。
【００３６】
電気接触部は筒状に形成されており、電気接触部内には弾性ばね片が設けられている。弾性ばね片は、電気接触部内に侵入したプラグ体４の後述するヒューズ４２の端子を電気接触部の内面に向かって押し付けて、ヒューズ４２の端子と電気的に接続する。そして、電気接触部即ち雌端子３８は、ヒューズ４２と電気的に接続する。
【００３７】
前述した構成の雌端子３８は、電気接触部が被取付部２即ちバッテリパックの外側に位置し、電線接触部が被取付部２即ちバッテリパックの内側に位置した状態で、端子収容部３６内に収容されている。また、一対の雌端子３８は、端子収容部３６内に収容されると互いに平行に配される。
【００３８】
リブ３７は、図２等に示すように、周壁３１ｂの外表面からハウジング３１の外方向に向かって突設されている。リブ３７は、互いに相対する一対の周壁３１ｂ２（前述したカム突起３５が設けられていない一対の周壁３１ｂ２）にそれぞれ設けられている。リブ３７は、ハウジング３１の軸心に対して直交する方向に沿って設けられている。前述した一対の周壁３１ｂ２には、それぞれ、三つのリブ３７が設けられている。三つのリブ３７は互いに平行に設けられ、隣り合うリブ３７の間に溝部３２ａ、３２ｂが形成される。
【００３９】
溝部３２ａ、３２ｂは、図１に示すように、ハウジング３１の外表面に設けられ、ハウジング３１の外表面からハウジング３１の内方向に凹に形成されている。溝部３２ａ、３２ｂは、ハウジング３１の軸心に対して直交する方向に延びている。溝部３２ａ、３２ｂの奥行き方向（図２中、左右方向）は、底壁３１ａと略平行である。溝部３２ａ、３２ｂの幅は被取付部２の外縁２２ａの厚さよりも広く設けられている。
【００４０】
溝部３２ａ、３２ｂは、前述したリブ３７が設けられた一対の周壁３１ｂ１のそれぞれの周壁３１ｂ１に設けられている。即ち、溝部３２ａ、３２ｂは、それぞれ、一対設けられている。溝部３２ａは被取付部２寄りに設けられ、溝部３２ｂは被取付部２から離れて設けられている。本実施形態においては、一対の溝部３２ａ内に一対の切り欠き部２２の外縁２２ａが通される。
【００４１】
このとき、図６に示すように、溝部３２ａの幅と外縁２２ａの厚さとの差分Ｄ１（即ち、溝部３２ａと該溝部３２ａ内に通された外縁２２ａとの間隔）は、コネクタ３の孔３３の近傍と被取付部２の孔２１の近傍の間隔Ｄ２（即ち、前述した底壁３１ａと被取付部２との間隔）より狭い。そして、底壁３１ａは、溝部３２ａの溝部３２ｂ寄りの内面よりも被取付部２から離れて配される。
【００４２】
前述したコネクタ３に設けられた溝部３２ａと被取付部２に設けられた切り欠き部２２の二つの外縁２２ａとは、保持手段７を構成する。保持手段７は、コネクタ３と被取付部２とが重なる方向Ｋ（即ち、ハウジング３１の軸心が被取付部２に対して直交する方向）に対して直交する方向にコネクタ３をスライドさせてコネクタ３を被取付部２上に重ねて、コネクタ３を取付位置に保持する。
【００４３】
なお、前述したコネクタ３の取付位置とは、ハウジング３１が切り欠き部２２内に通されて、カム突起３５が設けられた一対の周壁３１ｂ１の一方の周壁３１ｂ１が切り欠き部２２の被取付部２の長手方向に沿った外縁と当接し、底壁３１ａが被取付部２と間隔をあけて相対した状態を示すものとする。このとき、溝部３２ａの溝部３２ｂから離れた内面は切り欠き部２２の外縁２２ａと接触する。
【００４４】
孔３３は、図８に示すように、底壁３１ａを貫通して設けられている。孔３３は、ハウジング３１の底壁３１ａの略中央に一つ設けられ、一対の端子収容部３６の間に設けられている。孔３３の平面形状は円形状に形成されている。孔３３の内側には、金属材料からなる円筒状のカラー３３ａが圧入されている。カラー３３ａの内径は、後述するボルト６１の軸部の外径より若干大きく、ボルト６１の頭部の外径より小さい。孔３３（即ち、カラー３３ａの内側）は、コネクタ３が取付位置に位置付けられると前述した被取付部２の孔２１と連通する。そして、連通した孔２１、３３にねじ部材６のボルト６１の軸部が通される。
【００４５】
コネクタ部３４は、図２等に示すように、ハウジング３１の外表面に設けられ、ハウジング３１の軸心に対して直交する方向に沿って配されている。コネクタ部３４は、筒状に形成され、内部に端子を収容している。端子は、ハウジング３１の軸心に対して直交する方向に沿って配されている。端子は、電線の端末と接続された電線接続部と、プラグ体４の後述するコネクタ部５４の端子と電気的に接続する電気接触部とを一体に備えている。
【００４６】
プラグ体４は、図７に示すように、コネクタハウジング（以下、単にハウジングとよぶ）４１と、該ハウジング４１内に圧入されるヒューズ４２（図８）と、該ハウジング４１に取り付けられるカバー４３とを備えている。
【００４７】
ハウジング４１は、絶縁性の合成樹脂等からなる。ハウジング４１は、図８に示すように、コネクタ３のハウジング３１内に収容される。ハウジング４１は、上壁４１ａと、該上壁４１ａの周縁に連なり該周縁から立設した周壁４１ｂと、該周壁４１ｂと平行に設けられ周壁４１ｂ内の空間を仕切る隔壁４１ｃとを備え、略角筒状に形成されている。ハウジング４１がコネクタ３のハウジング４１内に収容されると、周壁４１ｂはコネクタ３の周壁３１ｂの内側に挿入され、隔壁４１ｃはコネクタ３の隔壁３１ｃと端子収容部３６との間に挿入される。即ち、周壁４１ｂと隔壁４１ｃとで囲まれる空間に端子収容部３６が収容される。ハウジング４１には、ガイド突起４４が設けられている。
【００４８】
ガイド突起４４は、図７に示すように、ハウジング４１の外表面からハウジング４１の外方向に向かって突出している。ガイド突起４４の平面形状は、長手方向がハウジング４１の軸心に対して直交する方向に沿い且つ該長手方向の両端が円弧状の略矩形状に形成されている。ガイド突起４４は、レバー５の後述するガイド孔５３に通される。
【００４９】
レバー５は、絶縁性の合成樹脂等からなる。レバー５は、図７に示すように、互いに間隔をあけて平行に配された一対のアーム部５１と、これら一対のアーム部５１を互いに連結する操作部５２と、コネクタ部５４とを備えている。アーム部５１は、それぞれ、平板状に形成され且つプラグ体４のガイド突起４４が設けられた周壁４１ｂ上に重ねられる。アーム部５１には、ガイド孔５３と、カム孔５５とが設けられている。
【００５０】
ガイド孔５３は、アーム部５１の長手方向に沿って直線状に延びている。ガイド孔５３には、プラグ体４のガイド突起４４が通される。ガイド孔５３は、直線状に延びた直線部と、直線部の図７中下方（操作部５２から離れた側）の一端に設けられた円状部とを備えている。直線部の幅は、ガイド突起４４の幅方向の長さ（平面形状）より僅かに大きい。円状部の内径は、ガイド突起４４の円弧部分の外径（平面形状）より僅かに大きい。このため、直線部にガイド突起４４が位置するとレバー５はプラグ体４に対して回転が規制され、円状部にガイド突起４４が位置すると、レバー５はプラグ体４に対して回転自在となる。
【００５１】
カム孔５５は、全体としてアーム部５１の長手方向に沿って延びている。カム孔５５には、コネクタ３のカム突起３５が通される。カム孔５５は、直線状に延びた直線部と、直線部の図７中下方（操作部５２から離れた側）の一端に連なる曲線部とを備えている。直線部は、ガイド孔５３と平行に直線状に延びている。曲線部は円弧状に形成され、直線部の前述した一端に近づくにしたがってガイド孔５３の円状部に近づくように湾曲している。
【００５２】
コネクタ部５４は、プラグ体４とコネクタ３とが互いに嵌合してヒューズ４２と雌端子３８とが電気的に接続した後に、コネクタ３のコネクタ部３４と嵌合する。そして、コネクタ部３４、５４同士が互いに嵌合するとコネクタ部３４、５４の端子同士が電気的に接続して、コネクタ部３４、５４の間に設けられたリレーのスイッチ部がオンになる。この状態ではじめて電源回路が導通する。
【００５３】
前述した構成のレバー５は、ガイド孔５３にガイド突起４４が通されてプラグ体４に取り付けられる。以下、レバー５を変位させて電源回路を導通する過程を説明する。まず、プラグ体４のハウジング４１の先端をコネクタ３のハウジング３１内に挿入し、カム孔５５にコネクタ３のカム突起３５を挿入する。
【００５４】
このとき、ガイド突起４４はガイド孔５３の円状部に位置し、カム突起３５はカム孔５５の曲線部側の端部に位置している。レバー５は、アーム部５１の長手方向がプラグ体４のハウジング４１の軸心と平行に位置付けられる。このときのレバー５の位置を回転開始位置とする。
【００５５】
その後、レバー５を、コネクタ３に近づく方向に回転させる。すると、ガイド突起４４はガイド孔５３の円状部内で回転し、カム突起３５はカム孔５５の曲線部内を直線部に近づく方向に移動する。該曲線部は直線部に近づくにしたがってガイド孔５３の円状部に近づくように湾曲しているので、レバー５を回転させることによって、プラグ体４とコネクタ３とが互いに近づいて互いに嵌合し、ヒューズ４２と雌端子３８とが電気的に接続する。
【００５６】
このとき、ガイド突起４４はガイド孔５３の円状部に位置し、カム突起３５はカム孔５５の曲線部と直線部との間に位置している。レバー５は、アーム部５１の長手方向がプラグ体４のハウジング４１（及びコネクタ３のハウジング３１）の軸心に対して直交する。このときのレバー５の位置を回転完了位置とする。
【００５７】
さらに、レバー５を、操作部５２がプラグ体４に近づく方向にスライドさせる。このとき、ガイド突起４４はガイド孔５３の直線部側の端部に位置し、カム突起３５はカム孔５５の直線部側の端部に位置している。レバー５は、アーム部５１の長手方向がプラグ体４（及びコネクタ３）のハウジング４１の軸心に対して直交する。このときのレバー５の位置を嵌合完了位置とする。
【００５８】
ねじ部材６は、図２に示すように、ボルト６１と、ナット６２とを備えている。ボルト６１は、略円柱状の軸部と、該軸部の一端に形成された頭部とを一体に備えている。軸部には、ねじ溝が形成されている。コネクタ３が被取付部２に取り付けられて孔３３、２１が連通すると、ボルト６１の軸部がコネクタ３の孔３３側から連通した孔２１、３３内に通されて、軸部の先端は被取付部２側に突出する。
【００５９】
ナット６２には内部にねじ溝が形成されており、被取付部２側に突出したボルト６１の軸部がねじ込まれる。ナット６２にボルト６１がねじ込まれることによって、ボルト６１の頭部とナット６２との間にコネクタ３の底壁３１ａと被取付部２とが挟まれて固定される。そして、コネクタ３が被取付部２に取り付けられる。
【００６０】
前述した構成のコネクタ３を被取付部２に取り付ける際には、まず、コネクタ３を、コネクタ３と被取付部２とが重なる方向Ｋに対して直交する方向にスライドさせてコネクタ３のハウジング３１を被取付部２の切り欠き部２２に通し、溝部３２ａに切り欠き部２２の外縁２２ａを通す。すると、コネクタ３の孔３３と被取付部２の孔２１とが連通するので、連通した孔３３、２１を前述したボルト６１及びナット６２でねじ留めする。
【００６１】
被取付部２と孔３３が設けられた底壁３１ａとをねじ留めすると、切り欠き部２２の外縁２２ａは溝部３２ａの溝部３２ｂ寄りの内面に押し付けられ、切り欠き部２２の外縁２２ａは溝部３２ａ内に固定される。以上のように、コネクタ３は被取付部２に取り付けられる。
【００６２】
その後、被取付部２に取り付けられたコネクタ３にプラグ体４を取り付けて、電源回路を導通させる。まず、コネクタ３のハウジング３１内にプラグ体４のハウジング４１の先端を挿入し、レバー５のカム孔５５にカム突起３５を挿入する。レバー５が前述した回転開始位置に位置付けられる。
【００６３】
そして、レバー５をコネクタ３に近づく方向、即ち、前述した回転完了位置まで回転させ、プラグ体４とコネクタ３とを嵌合させてヒューズ４２と雌端子３８とを電気的に接続する。さらに、レバー５の操作部５２がプラグ体４に近づく方向、即ち、前述した嵌合完了位置までスライドさせ、コネクタ部３４、５４同士を嵌合させて端子同士を電気的に接続する。以上のように、レバー５を変位させて電源回路を導通させる。
【００６４】
この電源回路を切断するには、これまでの操作を逆の順序で行えばよい。このように電源回路が切断された後に、作業者がバッテリパックのメンテナンス等を行う。プラグ体４を作業者自身が保持することによって、切断された電源回路を他者が再び導通させることが不可能になり、作業者は安全に作業を行うことができる。
【００６５】
本実施形態によれば、保持手段７と、コネクタ３を取付位置に位置付けると互いに連通する一対の孔２１、３３を備えているので、保持手段７と一対の孔２１、３３をねじ部材６で固定する一箇所のボルト留めとによってコネクタ３が被取付部２に固定される。したがって、簡単且つ低コストでありながら、強固にコネクタ３を被取付部２に取り付けて固定することができる。
【００６６】
保持手段７が溝部３２ａと該溝部３２ａ内に通される切り欠き部２２の外縁２２ａとを備えているので、溝部３２ａに該外縁２２ａを通すことによってコネクタ３が取付位置に位置付けられて保持される。したがって、簡単にコネクタ３を被取付部２に取り付けることができる。
【００６７】
溝部３２ａの幅と切り欠き部２２の外縁２２ａの厚さとの差分Ｄ１が、取付位置に位置付けられたコネクタ３の孔３３の近傍と被取付部２の孔２１の近傍との間隔Ｄ２より小さく設けられているので、連通した一対の孔２１、３３をねじ部材６で固定すると、溝部３２ａの内面に外縁２２ａが押し付けられて溝部３２ａ内に保持される。したがって、外縁２２ａが溝部３２ａ内でがたつくことがなく、振動等による異音の発生を防止することができる。
【００６８】
切り欠き部２２と溝部３２ａとがそれぞれ一対設けられているので、一対の溝部３２ａに一対の切り欠き部２２の外縁２２ａを通すことによって、コネクタ３はさらに確実に被取付部２に保持される。したがって、さらに強固にコネクタ３を被取付部２に取り付けることができる。
【００６９】
前述した実施形態においては、コネクタ３は回路遮断装置１０を構成しており、コネクタ３にはプラグ体４が取り付けられていた。しかしながら本発明では、コネクタ３は、回路遮断装置１０を構成するものでなくてもよく、例えば、コネクタ３にはワイヤハーネスの電線の端末に取り付けられたコネクタが取り付けられてもよい。
【００７０】
また、前述した実施形態においては、溝部３２ａと切り欠き部２２の外縁２２ａとは、コネクタ３と被取付部２とが重なる方向Ｋに対して直交する方向にコネクタ３をスライドさせるように設けられていた。しかしながら本発明では、溝部３２ａと切り欠き部２２の外縁２２ａとが、前記重なる方向Ｋに対して直交せずに交差する方向にコネクタ３をスライドさせるように設けられていても勿論よい。
【００７１】
また、前述した実施形態においては、溝部３２ａがコネクタ３に設けられ、該溝部３２ａに通される外縁２２ａが被取付部２に設けられていた。しかしながら本発明では、例えば、リブがコネクタ３に設けられ、該リブを通す溝部が被取付部２に設けられていてもよい。
【００７２】
次に、本発明の第二の実施形態にかかるコネクタの取付構造１を、図９ないし図１１を参照して説明する。なお、前述した第一の実施形態と同一構成部分には、同一符号を付して説明を省略する。
【００７３】
本実施形態の第一の実施形態との相違点は、被取付部２の形状が異なることと、被取付部２の切り欠き部２２の外縁２２ａが溝部３２ｂ内に通されることの二点である。切り欠き部２２の外縁２２ａと溝部３２ｂとは、保持手段７を構成する。
【００７４】
被取付部２は、板金等を折り曲げて形成されている。被取付部２は、図１１に示すように、平面形状が矩形状に形成されている。被取付部２は、図９に示すように、平板部２３と、断面コ字状に形成された段部２４とを一体に備えている。段部２４は、被取付部２の長手方向の中央に設けられ、被取付部２の幅方向全体に亘って設けられている。段部２４の平板部２３と平行な底部には孔２１が設けられている。
【００７５】
切り欠き部２２は、被取付部２の幅方向の端部から該幅方向に沿って且つ平板部２３と段部２４とに亘って被取付部２を切り欠いて形成されている。切り欠き部２２は、被取付部２の長手方向に沿って互いに間隔をあけて一対設けられている。一対の切り欠き部２２の平板部２３側の二つの外縁（進入部に相当する。以下、単に外縁とよぶ）２２ａは、一対の溝部３２ｂ内に通される。
【００７６】
このとき、図１０に示すように、溝部３２ｂの幅と外縁２２ａの厚さとの差分Ｄ３（即ち、溝部３２ｂと該溝部３２ｂ内に通された外縁２２ａとの間隔）は、コネクタ３の孔３３の近傍と被取付部２の孔２１の近傍との間隔Ｄ２（即ち、コネクタ３の底壁３１ａと被取付部２の段部２４の底部との間隔）より狭い。
【００７７】
本実施形態においても、第一の実施形態と同様の効果を得ることができる。即ち、本実施形態によれば、保持手段７と、コネクタ３を取付位置に位置付けると互いに連通する一対の孔２１、３３を備えているので、保持手段７と一対の孔２１、３３をねじ部材６で固定する一箇所のボルト留めとによってコネクタ３が被取付部２に固定される。したがって、簡単且つ低コストでありながら、強固にコネクタ３を被取付部２に取り付けて固定することができる。
【００７８】
保持手段７が溝部３２ｂと該溝部３２ｂ内に通される切り欠き部２２の外縁２２ａとを備えているので、溝部３２ｂに該外縁２２ａを通すことによってコネクタ３が取付位置に位置付けられて保持される。したがって、簡単にコネクタ３を被取付部２に取り付けることができる。
【００７９】
溝部３２ｂの幅と切り欠き部２２の外縁２２ａの厚さとの差分Ｄ３が、取付位置に位置付けられたコネクタ３の孔３３の近傍と被取付部２の孔２１の近傍との間隔Ｄ２より小さく設けられているので、連通した一対の孔２１、３３をねじ部材６で固定すると、溝部３２ｂの内面に外縁２２ａが押し付けられて溝部３２ｂ内に保持される。したがって、外縁２２ａが溝部３２ｂ内でがたつくことがなく、振動等による異音の発生を防止することができる。
【００８０】
切り欠き部２２と溝部３２ｂとがそれぞれ一対設けられているので、一対の溝部３２ｂに一対の切り欠き部２２を通すことによって、コネクタ３はさらに確実に被取付部２に保持される。したがって、さらに強固にコネクタ３を被取付部２に取り付けることができる。
【００８１】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００８２】
【図１】本発明の第一の実施形態にかかるコネクタの取付構造を示す斜視図である。
【図２】図１に示されたコネクタの取付構造の側面図である。
【図３】図１示されたコネクタの取付構造の上面図である。
【図４】図１示されたコネクタの取付構造の下面図である。
【図５】図１に示された被取付部を示す上面図である。
【図６】図１に示されたコネクタがねじ部材で固定される前の状態を示す側面図である。
【図７】図１に示されたコネクタにプラグ体が相対した状態を示す斜視図である。
【図８】図７に示されたコネクタとプラグ体が嵌合した状態を示す断面図である。
【図９】本発明の第二の実施形態にかかるコネクタの取付構造を示す斜視図である。
【図１０】図９に示されたコネクタがねじ部材で固定される前の状態を示す側面図である。
【図１１】図９に示された被取付部を示す上面図である。
【符号の説明】
【００８３】
１    コネクタの取付構造
２    被取付部
３    コネクタ
６    ねじ部材
７    保持手段
２１    孔（一対の孔）
２２ａ    外縁（進入部）
３２ａ、３２ｂ    溝部
３３    孔（一対の孔）
６１    ボルト（ねじ部材）
６２    ナット（ねじ部材）
Ｋ    コネクタと被取付部とが重なる方向
Ｄ１、Ｄ３    溝部の幅と外縁の厚さとの差分
Ｄ２    コネクタの孔の近傍と被取付部の孔の近傍との間隔
【図１】
0004415035.tif 000002
【図２】
0004415035.tif 000003
【図３】
0004415035.tif 000004
【図４】
0004415035.tif 000005
【図５】
0004415035.tif 000006
【図６】
0004415035.tif 000007
【図７】
0004415035.tif 000008
【図８】
0004415035.tif 000009
【図９】
0004415035.tif 000010
【図１０】
0004415035.tif 000011
【図１１】
0004415035.tif 000012